(57)【要約】      （修正有）【課題】タイムラグを持つ自動試験に対し、点検操作などをトリガに現在の住警器の状態をリアルタイム試験により取得して報知可能とする。【解決手段】自動試験部６６は、所定時間毎に電池電源４０及びセンサ部１６の障害の有無を判定して報知する自動試験を行う。リアルタイム試験部６８は、操作部３８の試験スイッチ２０による試験操作を検出した時に、試験結果に障害が記憶されている場合は障害を報知し、試験結果に正常が記憶されている場合は、電池電源４０及びセンサ部１６の障害の有無を判定するリアルタイム試験を行って試験結果を報知する。【選択図】図３
2010257279.tif 000002
【特許請求の範囲】
【請求項１】
電源を供給する電池電源と、
異常に応じた検出信号を出力するセンサ部と、
異常警報を出力する報知部と、
試験操作手段を備えた操作部と、
警報器と別体又は一体に設けられ、センサ部からの検出信号から異常を判定した時に異常警報を出力させる異常監視部と、
を設けた警報器に於いて、
所定時間毎に前記電池電源及びセンサ部の障害の有無を判定して報知する自動試験を行う自動試験部と、
前記操作部の試験操作手段による試験操作を検出した時に、前記電池電源及びセンサ部の障害の有無を判定して報知するリアルタイム試験を行うリアルタイム試験部と、
を備えたことを特徴とする警報器。
【請求項２】
電源を供給する電池電源と、
イベント信号を他の警報器との間で送受信する送受信回路部と、
異常に応じた検出信号を出力するセンサ部と、
異常警報を出力する報知部と、
試験操作手段を備えた操作部と、
警報器と別体又は一体に設けられ、センサ部からの検出信号から異常を判定した時に、連動元を示す異常警報を出力させると共に、異常を示すイベント信号を他の警報器に送信し、一方、他の警報器から異常を示すイベント信号を受信した時に連動先を示す異常警報を出力させる異常監視部と、
を設けた警報器に於いて、
所定時間毎に前記電池電源及びセンサ部の障害の有無を判定して報知する自動試験を行う自動試験部と、
前記操作部の試験操作手段による試験操作または他の住警器からの試験指示を検出した時に、前記電池電源及びセンサ部の障害の有無を判定して報知するリアルタイム試験を行うリアルタイム試験部と、
を備えたことを特徴とする警報器。
【請求項３】
請求項１又は２記載の警報器に於いて、
前記自動試験部は、所定の時間間隔毎に前記センサ部からの検出信号の平均値を求め、前記平均値が所定の零点レベルを外れた時にセンサ障害を判定して試験結果として記憶すると共にセンサ障害を報知し、
前記リアルタイム試験部は、前記センサ部からの検出信号が前記零点レベルを外れた時にセンサ障害を判定して試験結果として報知することを特徴とする警報器。
【請求項４】
請求項１又は２記載の警報器に於いて、
前記自動試験部は、前記センサ部からの検出信号が所定の零点レベルを外れた回数が所定回数に達した時に、センサ障害を判定して試験結果として記憶すると共にセンサ障害を報知し、
前記リアルタイム試験部は、前記センサ部からの検出信号が前記零点レベルを外れた時にセンサ障害を判定して試験結果として報知することを特徴とする警報器。
【請求項５】
請求項１又は２記載の警報器に於いて、
前記自動試験部は、所定の時間間隔毎に前記電池電源の電源電圧を検出して所定の閾値電圧以下の時にローバッテリー障害を判定し、前記ローバッテリー障害の判定結果か連続して所定回数続いたときにローバッテリー障害を確定して試験結果として記憶すると共にローバッテリー障害を報知し、
前記リアルタイム試験部は、前記電池電源の電源電圧を検出して所定の閾値電圧以下の時にローバッテリー障害を判定して試験結果として報知することを特徴とする警報器。
【請求項６】
請求項１又は２記載の警報器に於いて、前記リアルタイム試験部は、前記自動試験の結果とリアルタイム試験の結果に基づいて、試験結果を報知することを特徴とする警報器。
【請求項７】
請求項６記載の警報器に於いて、前記リアルタイム試験部は、
自動試験及びリアルタイム試験の結果が共に正常の場合は正常を報知し、
自動試験の結果が障害でリアルタイム試験の結果が正常の場合は、正常を報知し、
自動試験の結果が正常でリアルタイム試験の結果が障害の場合は、障害を報知し、
自動試験及びリアルタイム試験の結果が共に障害の場合は、障害を報知することを特徴とする警報器。
【請求項８】
請求項７記載の警報器に於いて、前記リアルタイム試験部は、自動試験の結果が障害でリアルタイム試験の結果が正常の場合は、正常を報知すると共に再度の試験操作のガイダンスを報知することを特徴とする警報器。
【請求項９】
請求項５記載の警報器に於いて、前記リアルタイム試験部は、前記試験操作を検出した時に、前回の電池電源の自動試験からの経過時間が所定時間以内の場合はリアルタイム試験を禁止して自動試験の結果を報知することを特徴とする警報器。
【発明の詳細な説明】
【技術分野】
【０００１】
本発明は、火災などの異常を検出して警報する警報器に関し、特に、センサやバッテリーを自動試験する機能を備えた警報器に関する。
【背景技術】
【０００２】
従来、住宅における火災やガス漏れなどの異常を検出して警報する住宅用警報器（以下「住警器」という）が普及しており、近年にあっては、１つの住戸に複数の住警器を設置して部屋毎に火災などの異常を監視する傾向も増加している。
【０００３】
従来の住警器にあっては、火災を検出した場合には、「ウーウー火災警報器が作動しました  確認してください」との音声メッセージが連続して流し、同時に赤ランプを明滅または点滅させている。また、住警器には点検スイッチを兼ねた警報停止兼用試験スイッチが設けられており、警報出力中に引き紐などによりスイッチを操作すると警報を停止するようにしている。
【０００４】
警報停止兼用試験スイッチを警報が出力されていない通常の監視状態で操作すると、住警器に障害が発生していない場合は、正常であることを示す報知を行っている。例えば、試験スイッチを操作すると、火災検出時と同じ「ウーウー火災警報器が作動しました  確認してください」との音声メッセージを低い音量で１回だけ出力し、正常に動作することを示すと同時に、ユーザに火災検出時はどんな音が鳴るかを教えるようにしている。
【０００５】
更に、従来の住警器にあっては、検煙部などのセンサ部や電池電源の状態を所定の時間間隔毎にチェックして障害の有無を検出する自動試験機能が設けられており、障害を検出すると障害警報を出力するようにしている。
【０００６】
図１６は従来の住警器に設けたセンサ部の自動試験を示したタイムチャートでる。センサ部の自動試験は、図１６（Ａ）のように、例えば検煙部から出力される煙濃度に応じた検出信号を１秒間隔でＣＰＵに読み込んでメモリ上に検出データとして保持し、例えば１０分間の検出データの平均値を計算し、平均値が予め定めた零点レベルを下回ったら断線などによるセンサ障害と判定し、図１６（Ｂ）のメモリ上の試験結果記憶情報をそれまでの正常からセンサ障害に変更し、同時に、障害警報を出すようにしている。
【０００７】
また、センサ部の障害を判断する処理は平均値計算としているが、零点レベルを下回った回数で障害と判断しても良い。
【０００８】
図１７は従来の住警器に設けた電池電源の自動試験を示したタイムチャートでる。電池電源の自動試験は、図１７（Ａ）のように、電池電源の電源電圧を４時間間隔でＣＰＵに読み込んで所定の閾値レベルと比較し、閾値レベルを下回った場合にローバッテリー障害と判定し、このローバッテリー障害が例えば５回連続した場合にローバッテリー障害を確定して、図１７（Ｂ）のメモリ上の試験結果記憶情報をそれまでの正常からローバッテリー障害に変更し、同時に、障害警報を出すようにしている。
【０００９】
また、近年にあっては、無線式住警器を複数台設置して連動警報を行うものも提案されている。連動警報を行う住警器にあっては、ある住警器で火災を検出した場合には、火災を検出した連動元の住警器と連動先の住警器とでは異なる警報音を出力している。
【００１０】
例えば火災を検出した連動元の住警器は、「ウーウー火災警報器が作動しました  確認してください」との音声メッセージが連続して流れ、一方、連動先の住警器では「ウーウー別の火災警報器が作動しました  確認してください」という音声メッセージを連続して流すようにしている。また、連動元の住警器の赤ランプは明滅とし、連動先の住警器の赤ランプは点滅とし、赤ランプの表示からも連動元か連動先かが区別できるようにしている。
【００１１】
また、住警器には点検スイッチを兼ねた警報停止兼用試験スイッチが設けられており、火災を検出した連動元の住警器の警報停止兼用試験スイッチを操作すると、全ての住警器の警報が停止し、また連動先の住警器の警報停止兼用試験スイッチを操作すると、その住警器の警報のみが停止するようにしている。
【００１２】
このような連動警報を行う無線式住警器にあっても、図１５及び図１６に示した自動試験機能が設けられおり、障害を検出した時に自分自身で連動元を示す障害警報を出し、同時に他の住警器からは連動先を示す障害警報を出すようにし、障害警報についても連動を行う。
【００１３】
連動による障害警報の停止についても、火災警報の場合と同様に、障害を検出した連動元の住警器の警報停止兼用試験スイッチを操作すると、全ての住警器の障害警報が停止し、また連動先の住警器の警報停止兼用試験スイッチを操作すると、その住警器の障害警報のみが停止するようにしている。
【先行技術文献】
【特許文献】
【００１４】
【特許文献１】特開２００７−０９４７１９号公報
【発明の概要】
【発明が解決しようとする課題】
【００１５】
ところで、住警器を設置するために梱包されている住警器を開包したときや、使用中に誤って落としたような場合、住警器が正しく働くかどうかを確認するために試験スイッチを押す場合がある。
【００１６】
しかしながら、自動試験機能を備えた従来の住警器にあっては、センサ障害にあっては約１０分間、ローバッテリー障害については約２０時間といった障害を判定するまでのタイムラグをもつため、試験スイッチを押したときに、実際にセンサ障害やローバッテリーを起こしていても、そのときの試験結果記憶情報が正常となっていることから正常が報知され、その後、時間が経ってから障害警報が出され、住警器の現在の状況が分からないという問題がある。
【００１７】
本発明は、タイムラグを持つ自動試験機能に対し、試験操作などをトリガに現在の住警器の状態をリアルタイム試験により取得して報知可能とする警報器を提供することを目的とする。
【課題を解決するための手段】
【００１８】
本発明は、電源を供給する電池電源と、異常に応じた検出信号を出力するセンサ部と、
異常警報を出力する報知部と、試験操作手段を備えた操作部と、警報器と別体又は一体に設けられ、センサ部からの検出信号から異常を判定した時に異常警報を出力させる異常監視部と、を設けた警報器に於いて、
所定時間毎に電池電源及びセンサ部の障害の有無を判定して報知する自動試験を行う自動試験部と、
操作部の試験操作手段による試験操作を検出した時に、電池電源及びセンサ部の障害の有無を判定して報知するリアルタイム試験を行うリアルタイム試験部と、
を備えたことを特徴とする。
【００１９】
また、本発明は、電源を供給する電池電源と、イベント信号を他の警報器との間で送受信する送受信回路部と、異常に応じた検出信号を出力するセンサ部と、異常警報を出力する報知部と、試験操作手段を備えた操作部と、警報器と別体又は一体に設けられ、センサ部からの検出信号から異常を判定した時に、連動元を示す異常警報を出力させると共に、異常を示すイベント信号を他の警報器に送信し、一方、他の警報器から異常を示すイベント信号を受信した時に連動先を示す異常警報を出力させる異常監視部と、を設けた無線式の警報器に於いて、
所定時間毎に電池電源及びセンサ部の障害の有無を判定して報知する自動試験を行う自動試験部と、
操作部の試験操作手段による試験操作または他の住警器からの試験指示を検出した時に、電池電源及びセンサ部の障害の有無を判定して報知するリアルタイム試験を行うリアルタイム試験部と、
を備えたことを特徴とする。
【００２０】
ここで、自動試験部は、所定の時間間隔毎にセンサ部からの検出信号の平均値を求め、平均値が所定の零点レベルを外れた時にセンサ部の障害を判定して試験結果として記憶すると共にセンサ障害を報知し、
リアルタイム試験部は、センサ部からの検出信号が零点レベルを外れた時にセンサ部の障害を判定してセンサ障害を報知する。
【００２１】
自動試験部は、センサ部からの検出信号が所定の零点レベルを外れた回数が所定回数に達した時に、センサ障害を判定して試験結果として記憶すると共にセンサ障害を報知し、
リアルタイム試験部は、前記センサ部からの検出信号が零点レベルを外れた時にセンサ障害を判定して試験結果として報知する。
【００２２】
自動試験部は、所定の時間間隔毎に電池電源の電源電圧を検出して所定の閾値電圧以下の時にローバッテリー障害を判定し、ローバッテリー障害の判定結果が連続して所定回数続いたときにローバッテリー障害を確定して報知し、
リアルタイム試験部は、電池電源の電源電圧を検出して所定の閾値電圧以下の時にローバッテリー障害を判定して報知する。
【００２３】
リアルタイム試験部は、自動試験の結果とリアルタイム試験の結果に基づいて、試験結果を報知する。
【００２４】
リアルタイム試験部は、
自動試験及びリアルタイム試験の結果が共に正常の場合は正常を報知し、
自動試験の結果が障害でリアルタイム試験の結果が正常の場合は、正常を報知し、
自動試験の結果が正常でリアルタイム試験の結果が障害の場合は、障害を報知し、
自動試験及びリアルタイム試験の結果が共に障害の場合は、障害を報知する。
【００２５】
リアルタイム試験部は、自動試験の結果が障害でリアルタイム試験の結果が正常の場合は、正常を報知すると共に再度の試験操作のガイダンスを報知する。
【００２６】
リアルタイム試験部は、試験操作を検出した時に、前回の電池電源の自動試験からの経過時間が所定時間以内の場合はリアルタイム試験を禁止して自動試験の結果を報知する。
【発明の効果】
【００２７】
本発明によれば、警報器を落とした場合などの正常に働くかどうか知りたい場合に試験スイッチなどにより試験操作を行うと、自動試験の途中であっても、現在のセンサ部や電池電源の状態を判定するリアルタイム試験を行って試験結果を報知し、これによって現在の警報器の状態を把握して適切な対応ができる。
【００２８】
またリアルタイム試験による試験結果と自動試験による試験結果を組み合わせて試験結果を報知することで、より信頼性の高い障害報知が実現できる。
【００２９】
更に、ローバッテリー障害については、前回の自動試験からの経過時間が所定時間以内の場合はリアルタイム試験を禁止し、必要以上にリアルタイム試験を行う無駄をなくすことができる。
【図面の簡単な説明】
【００３０】
【図１】本発明による住警器の外観を示した説明図
【図２】住宅に対する住警器の設置状態を示した説明図
【図３】本発明による無線式住警器の実施形態を示したブロック図
【図４】本実施形態で使用するイベント信号のフォーマットを示した説明図
【図５】図３の実施形態によるセンサ部の自動試験とリアルタイム試験を示したタイムチャート
【図６】図３の実施形態による電池電源の自動試験とリアルタイム試験を示したタイムチャート
【図７】本実施形態の住警器における基本的な処理手順を示したフローチャート
【図８】図７のステップＳ２による火災監視処理の詳細を示したフローチャート
【図９】図７のステップＳ３によるセンサ試験処理の詳細を示したフローチャート
【図１０】図７のステップＳ４によるバッテリー試験処理の詳細を示したフローチャート
【図１１】自動試験とリアルタイム試験の試験結果の組合せによる報知内容を決定して出力する試験結果リストを示した説明図
【図１２】図１１の試験結果リストを用いるセンサ試験処理の他の実施形態を示したフローチャート
【図１３】図１１の試験結果リストを用いるバッテリー試験処理の他の実施形態を示したフローチャート
【図１４】前回の試験からの経過時間が短い場合にリアルタイム試験を禁止する他の実施形態を示したフローチャート
【図１５】本発明によるスタンドアローン型の住警器の実施形態を示したブロック図
【図１６】従来のセンサ試験処理を示したフローチャート
【図１７】従来のバッテリー試験処理を示したフローチャート
【発明を実施するための形態】
【００３１】
図１は本発明の実施形態として無線式の住警器を例にとってその外観を示した説明図であり、図１（Ａ）に正面図を、図１（Ｂ）に側面図を示している。
【００３２】
図１において、本実施形態の住警器１０はカバー１２と本体１４で構成されている。カバー１２の中央には、周囲に煙流入口を開口した検煙部１６が配置され、火災による煙が所定濃度に達したときに火災を検出するようにしている。
【００３３】
カバー１２に設けた検煙部１６の左下側には音響穴１８が設けられ、この背後にスピーカを内蔵し、警報音や音声メッセージを出力できるようにしている。検煙部１６の下側には警報停止兼用試験スイッチ２０が設けられている。
【００３４】
警報停止兼用試験スイッチ２０の内部には、点線で示すようにＬＥＤ２２が配置されており、ＬＥＤ２２が点灯すると、警報停止兼用試験スイッチ２０のスイッチカバーの部分を透過してＬＥＤ２２の点灯状態が外部から分かるようにしている。
【００３５】
また本体１４の裏側上部には取付フック１５が設けられており、設置する部屋の壁にビスなどをねじ込み、このビスに取付フック１５で取り付けることで、壁面に住警器１０を設置することができる。
【００３６】
なお図１の住警器１０にあっては、検煙部１６を備えた火災による煙を検出する住警器を例に取っているが、これ以外に火災による熱を検出するサーミスタを備えた住警器や、火災以外にガス漏れを検出する住警器についても、本発明の対象に含まれる。
【００３７】
図２は住宅に対する本実施形態の住警器の設置状態を示した説明図である。図２の例にあっては、住宅２４に設けられている台所、居間、主寝室、子供部屋のそれぞれに本実施形態の住警器１０−１〜１０−４が設置され、更に屋外に建てられたガレージ２６にも住警器１０−５を設置している。
【００３８】
住警器１０−１〜１０−５のそれぞれは、イベント信号を相互に無線により送受信する機能を備えており、５台の住警器１０−１〜１０−５で１つのグループを構成して、この住宅全体の火災監視を行っている。
【００３９】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５にあっては、連動元の住警器１０−４からの火災発報を示すイベント信号を受信すると、連動先としての警報動作を行う。
【００４０】
ここで連動元となった住警器１０−４の警報音としては、例えば音声メッセージにより「ウーウー  火災警報器が作動しました  確認してください」を連続して出力する。一方、連動先の住警器１０−１〜１０−３，１０−５にあっては、「ウーウー  別の火災警報器が作動しました  確認してください」といった音声メッセージを連続して出力する。
【００４１】
住警器１０−１〜１０−５が警報音を出している状態で、図１に示した住警器に設けている警報停止兼用試験スイッチ２０を操作すると、警報音の停止処理が行われる。ここで、本実施形態の警報音の停止処理としては次のいずれかの停止処理を行う。
【００４２】
（１）住警器１０−１〜１０−５の内の任意の住警器の警報停止兼用試験スイッチを押すと、連動元の住警器１０−４のみが警報音を流し、連動先の住警器１０−１〜１０−３，１０−５は警報音を停止する。
【００４３】
（２）住警器１０−１〜１０−５の内の任意の住警器の警報停止兼用試験スイッチを操作すると、連動先、連動元に関わらず、全ての住警器の警報音を停止する。
【００４４】
（３）前記（１）の停止処理を第１モード、前記（２）の停止処理を第２モードとし、いずれか一方のモードを選択して停止処理を行う。なお、以下の実施形態は（２）の停止処理を例にとる。
【００４５】
図３は本発明による住警器の実施形態を示したブロック図である。図３は図２に示した５台の住警器１０−１〜１０−５につき、その内の住警器１０−１について回路構成を詳細に示している。
【００４６】
住警器１０−１はＣＰＵ２８を備え、ＣＰＵ２８に対してはアンテナ３１を備えた無線回路部３０、記録回路部３２、センサ部３４、報知部３６、操作部３８及び電池電源４０を設けている。
【００４７】
無線回路部３０には送信回路４２と受信回路４４が設けられ、他の住警器１０−２〜１０−５との間でイベント信号を無線により送受信できるようにしている。無線回路部３０としては、日本国内の場合には、例えば４００ＭＨｚ帯の特定小電力無線局の標準規格として知られたＳＴＤ−３０（小電力セキュリティシステムの無線局の無線設備の標準規格）またはＳＴＤ−Ｔ６７（特定小電力無線局テレメータ用、テレコントロール用及びデータ伝送用無線設備の標準規格）に準拠した構成を備える。
【００４８】
もちろん無線回路部３０としては、日本国内以外の場所については、その地域の割当無線局の標準規格に準拠した内容を持つことになる。
【００４９】
記録回路部３２にはメモリ４６が設けられている。メモリ４６には住警器を特定するＩＤ（識別子）となる送信元符号５０と、図２のように複数の住警器で連動警報を行うグループを構成するためのグループ符号５２が格納されている。送信元符号５０としては、国内に提供される住警器の数を予測し、例えば同一符号として重複しないように２６ビットの符号コードが使用される。
【００５０】
グループ符号５２はグループを構成する複数の住警器に共通に設定される符号であり、無線回路部３０で受信した他の住警器からのイベント信号に含まれるグループ符号がメモリ４６に登録しているグループ符号５２に一致したときに、このイベント信号を有効な信号として受信して処理することになる。
【００５１】
またメモリ４６には試験結果記憶領域５５が設けられ、センサ部１６及び電池電源４０の試験処理に伴う試験結果を記憶するようにしている。
【００５２】
センサ部３４には、本実施形態にあっては検煙部１６が設けられている。検煙部１６は煙濃度に応じた煙濃度検出信号を出力する。検煙部１６から煙濃度検出信号はＣＰＵ２８に取り込まれ（ＡＤ変換）、火災検出や試験処理に使用される。
【００５３】
センサ部３４には検煙部１６以外に、火災による温度を検出するサーミスタを設けてもよい。またガス漏れ監視用の住警器の場合には、センサ部３４にガス漏れセンサが設けられることになる。
【００５４】
報知部３６にはスピーカ５６とＬＥＤ２２が設けられている。スピーカ５６は、図示しない音声合成回路部からの音声メッセージや警報音を出力して火災や障害を報知する。ＬＥＤ２２は点滅や明滅、点灯などにより、火災や障害を表示する。また報知部３６による警報は、自分自身で火災や障害を検出した場合は連動元を示す警報を出力し、他の住警器から火災や障害を通知された場合は、連動先を示す警報を出力する。
【００５５】
操作部３８には警報停止兼用試験スイッチ２０が設けられている。警報停止兼用試験スイッチ２０は報知部３６からスピーカ５６により警報音を出力しているときに警報停止スイッチ機能が有効となり、このとき警報停止兼用試験スイッチ２０を操作すると、住警器１０−１から流している警報音を停止することができる。
【００５６】
また警報停止兼用試験スイッチ２０は、報知部３６からスピーカ５６により警報音を出力していない通常監視状態で試験スイッチ機能が有効となり、このとき警報停止兼用試験スイッチ２０を操作すると、報知部３６から試験結果を示す音声メッセージなどが出力される。
【００５７】
電池電源４０は、例えば所定セル数のアルカリ乾電池を使用しており、電池容量としては住警器１０−１における無線回路部３０を含む回路部全体の低消費電力化により、約１０年の電池寿命を保証している。
【００５８】
ＣＰＵ２８にはプログラムの実行により実現される機能として、異常監視部６０、センサ試験処理部６２及びバッテリー試験処理部６４が設けられ、更に、センサ試験処理部６２及びバッテリー試験処理部６４には自動試験部６６−１，６６−２とリアルタイム試験部６８−１，６８−２の機能が設けられている。
【００５９】
異常監視部６０は、ＡＤ変換により読み込んだセンサ部３４に設けた検煙部１６から出力された煙濃度検出信号が所定の火災レベル以上となって火災発報を判別したときに、報知部３６のスピーカ５６から連動元を示す警報音例えば「ウーウー  火災警報器が作動しました  確認してください」を繰り返し出力させると共に、火災発報を示すイベント信号を無線回路部３０の送信回路４２によりアンテナ３１から他の住警器１０−２〜１０−５に向けて送信させる。
【００６０】
また異常監視部６０は、他の住警器１０−２〜１０−５のいずれかから火災発報を示すイベント信号を無線回路部３０の受信回路４４により受信したときに、報知部３６のスピーカ５６から連動先を示す警報音例えば「ウーウー  別の火災警報器が作動しました  確認してください」となる音声メッセージを連続的に出力させる。
【００６１】
ここで、異常監視部６０で火災発報を検出して連動元を示す警報音を出すときには、報知部３６のＬＥＤ２２を例えば明滅させる。一方、異常監視部６０で連動先を示す警報音を出す場合には、報知部３６のＬＥＤ２２を点滅させる。これによって、連動元を示す警報と連動先を示す警報におけるＬＥＤ２２の表示を区別できるようにしている。もちろん、連動元を示す警報と連動先を示す警報のいずれについても、同じＬＥＤ２２の明滅または点滅表示であってもよい。
【００６２】
更に異常監視部６０は、センサ部３４に設けた検煙部１６から出力されている煙濃度検出信号が検煙部１６から煙がなくなることで火災レベルを下回った時に、連動元を示す火災警報を停止させる共に、火災復旧を示すイベント信号を無線回路部３０の送信回路４２から連動先の住警器１０−２〜１０−５に送信させ、一方、他の住警器１０−２〜１０−５のいずれかから火災復旧を示すイベント信号を無線回路部３０の受信回路４４で受信した時に、連動先を示す火災警報を停止させる。
【００６３】
センサ試験処理部６２の自動試験部６６−１は、所定の時間間隔毎にセンサ部３４の障害の有無を判断して試験結果としてメモリ４６の試験結果記憶領域５５に記憶すると共に試験結果を報知させる。
【００６４】
例えば自動試験部６６−１は、所定の測定時間間隔Ｔ１、例えばＴ１＝１秒間隔でセンサ部３４の検煙部１６から出力される煙濃度検出信号をＡ／Ｄ変換により読み込んでメモリ４６のバッファ領域に保持し、所定の時間間隔Ｔ２毎に、例えばＴ２＝１０分毎に、メモリ４６のバッファ領域に保持している１０分間ぶんの検出データの平均値を求め、この平均値が所定の零点レベルを下回った時にセンサ部１６の障害と判定し、試験結果としてメモリ４６の試験結果記憶領域５５に記憶し、センサ障害を判定した場合は報知部３６のスピーカ５６からの音とＬＥＤ２２の表示によりセンサ障害を警報する。
【００６５】
このように煙濃度検出信号の１０分間平均値が零点レベルを下回る原因は、検煙部１６に設けている受光素子の断線、受光アンプの停止などの障害の発生したことによるものである。なお、センサ部１６にサーミスタなどの温度検出素子を設けた場合には、その断線により検出信号の１０分間平均値が断線レベルを下回ることでセンサ障害が試験結果として判定される。
【００６６】
なお、自動試験部６６−１は、センサ部３４からの検出信号が所定の零点レベルを外れた回数が所定回数に達した時に、センサ障害を判定してメモリ４６の試験結果記憶領域５５ｉ記憶すると共にセンサ障害を報知させるようにしても良い。
【００６７】
センサ試験処理部６２のリアルタイム試験部６８−１は、操作部３０の警報停止兼用試験スイッチ２０による試験操作を検出した時に、センサ部３４の障害の有無を判定して試験結果として報知するリアルタイム試験を行う。
【００６８】
例えばリアルタイム試験部６８−１は、センサ部３４の検煙部１６から出力される煙濃度検出信号をＡ／Ｄ変換により読み込んで所定の零点レベルと比較し、零点レベルを下回った時にセンサ部１６の障害と判定し、報知部３６のスピーカ５６からの音とＬＥＤ２２の表示によりセンサ障害を警報する。
【００６９】
なお、センサ障害でなかった場合に、火災検出時と同じ「ウーウー火災警報器が作動しました  確認してください」との音声メッセージを低い音量で１回だけ出力し、正常に動作することを示すと同時に、ユーザに火災検出時はどんな音が鳴るかを教えるようにしても良い。
【００７０】
このようなリアルタイム試験により、例えば住警器を箱から取り出す際や使用中に落としてしまい、住警器が正常に働くことを確認したい場合には、警報停止兼用試験スイッチ２０を押すとリアルタイム試験が行われ、自動試験による１０分といったタイムラグに影響されることなく、センサ部の状態がリアルタイム試験の試験結果として得られ、正常に働くか否かが直ぐに確認できる。
【００７１】
バッテリー試験処理部６４の自動試験部６６−２は、所定の時間間隔毎に電池電源４０のローバッテリー障害の有無を判断して試験結果としてメモリ４６の試験結果記憶領域５５に記憶する。
【００７２】
例えば自動試験部６６−２は、所定の測定時間間隔Ｔ３、例えばＴ３＝４時間間隔で電池電源４０の電源電圧をＡ／Ｄ変換により読み込んで所定の閾値電圧と比較し、この閾値電圧以下の時にローバッテリー障害を判定し、更にローバッテリー障害の判定結果か連続して所定回数続いたときにローバッテリー障害を確定して試験結果としてメモリ４６の試験結果記憶領域５５に記憶し、報知部３６のスピーカ５６からの音とＬＥＤ２２の表示によりローバッテリー障害を警報する。
【００７３】
バッテリー試験処理部６４のリアルタイム試験部６８−２は、操作部３０の警報停止兼用試験スイッチ２０による試験操作を検出した時に、電池電源４０のローバッテリー障害の有無を判定して試験結果として報知するリアルタイム試験を行う。
【００７４】
例えばリアルタイム試験部６８−２は、電池電源４０の電源電圧をＡ／Ｄ変換により読み込んで所定の閾値電圧と比較し、閾値電圧を下回った時にローバッテリー障害と判定し、報知部３６のスピーカ５６からの音とＬＥＤ２２の表示によりローバッテリー障害を警報する。
【００７５】
なお、リアルタイム試験でローバッテリー障害でなかった場合にも、火災検出時と同じ「ウーウー火災警報器が作動しました  確認してください」との音声メッセージを低い音量で１回だけ出力し、正常に動作することを示すと同時に、ユーザに火災検出時はどんな音が鳴るかを教えるようにしても良い。
【００７６】
このようなリアルタイム試験により、例えば住警器を箱から取り出す際や使用中に落としてしまい、住警器が正常に働くことを確認したい場合には、警報停止兼用試験スイッチ２０を押すと電池電源４０のリアルタイム試験が行われ、自動試験の２０時間といった長いタイムラグに影響されることなく、電池電源の状態がリアルタイム試験の試験結果として得られ、正常に働くか否かが直ぐに確認できる。
【００７７】
なお電池電源４０のリアルタイム試験にあっては、電源電圧を例えば１秒間隔でＡ／Ｄ変換により読み込んでバッファ上に保持し、リアルタイム性を損なうことの無い一定時間、例えば５秒間の平均値を求めて閾値電圧と比較することで、一時的な電源電圧の変動による誤判定を防ぐようにすることが望ましい。
【００７８】
また、リアルタイム試験部６８−１，６８−２によるリアルタイム試験は、警報停止兼用試験スイッチ２０の操作を検出した時以外に、他の住警器１０−２〜１０−５からの試験操作を示すイベント信号を受信した時に行うようにしても良い。
【００７９】
このためには、警報停止兼用試験スイッチ２０の操作を検出した時に、他の住警器に対し試験操作を示すイベント信号を送信するように構成し、リアルタイム試験についても連動試験を行うようにする。
【００８０】
また、センサ試験処理部６２及びバッテリー試験処理部６４の自動試験またはリアルタイム試験で報知部３６のスピーカ５６から出される警報音や警報メッセージは、警報中における警報停止兼用試験スイッチ２０の操作で停止することができる。
【００８１】
図４は本実施形態で使用するイベント信号のフォーマットを示した説明図である。図４において、イベント信号４８は送信元符号５０、グループ符号５２及びイベント符号５４で構成されている。送信元符号５０は例えば２６ビットの符号である。またグループ符号５２は例えば８ビットの符号であり、同一グループを構成する例えば図３の５台の住警器１０−１〜１０−５につき同じグループ符号が設定されている。
【００８２】
なおグループ符号５２としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００８３】
イベント符号５４は、火災、ガス漏れなどのイベント内容を表す符号であり、本実施形態にあっては２ビット符号を使用しており、例えば「００１」で火災、「０１０」でガス漏れ、「０１１」で復旧、「１００」で警報停止、「１０１」で障害、「１１０」で障害復旧、「１１１」で試験としている。なおイベント符号５４のビット数は、イベントの種類が増加したときには更に４ビット、５ビットと増加させることで、複数種類のイベント内容を表すことができる。
【００８４】
図５は図３の実施形態によるセンサ部の自動試験とリアルタイム試験を示したタイムチャートである。まず自動試験は、図５（Ａ）に示すように、所定の測定間隔Ｔ１例えばＴ１＝１秒間隔で、ＣＰＵ２８のセンサ試験処理部６２に設けた自動試験部６６−１が、センサ部３４に設けている検煙部１６から出力されている煙濃度検出信号をＡＤ変換して読み込み、メモリ４６のバッファ上に保持する処理を繰り返している。
【００８５】
この自動試験の開始から所定の時間間隔Ｔ２例えばＴ２＝１０分を経過した時点で、自動試験部６６−１は、それまでバッファ上に保持した１０分間分の煙濃度検出信号の検出データを対象に平均値を求め、この平均値が所定の零点レベルを下回ったときに、図５（Ｂ）に示す試験結果のように、メモリ４６の試験結果記憶領域５５に、それまでの正常からセンサ障害を記憶し、報知部３６のスピーカ５６からの音とＬＥＤ２２の表示によりセンサ障害を警報する。
【００８６】
図５（Ｃ）は操作部３８に設けている警報停止兼用試験スイッチ２０の操作による試験操作を示している。まず試験結果が正常となっている自動試験の試験結果が得られていない時間間隔Ｔ２の途中で、矢印で示す試験操作が検出されたとすると、図３のセンサ試験処理部６２に設けているリアルタイム試験処理部６８−１がリアルタイム試験を実行する。
【００８７】
このリアルタイム試験は、そのときセンサ部３４の検煙部１６から出力されている煙濃度検出信号をＡＤ変換して読み込み、所定の零点レベルと比較し、零点レベルを下回っていればセンサ障害と判定して、報知部のスピーカ５６からの音とＬＥＤ２２による表示でセンサ障害を警報する。リアルタイム試験で正常の試験結果が得られた場合には、センサ障害の警報は行わない。
【００８８】
このように自動試験による試験結果が出る所定時間Ｔ２の途中で試験操作が行われるとリアルタイム試験が実行され、そのときのセンサ部３４の状態を検出して障害の有無を判定することができ、自動試験における試験結果のようなタイムラグは起きない。
【００８９】
なおセンサ障害が判定されてセンサ障害の警報が出され、センサ障害を知って警報停止操作を行った後、再度、警報停止中に警報停止兼用試験スイッチ２０を操作すると、試験操作が検出され、このときにもリアルタイム試験が実行され、リアルタイム試験の試験結果としてセンサ障害が判定されると、再度、センサ障害を示す警報を出力するようになる。
【００９０】
図６は図３の実施形態による電池電源の自動試験とリアルタイム試験を示したタイムチャートである。図６（Ａ）は自動試験であり、図３のバッテリー試験処理部６４に設けた自動試験処理部６６−２が所定の時間間隔Ｔ３例えばＴ３＝４時間ごとに、電池電源４０の電源電圧をＡＤ変換により読み込み、予め定めた所定の閾値電圧と比較し、閾値電圧以下となった場合にローバッテリー障害を判定する。
【００９１】
ここで自動試験の際に電源電圧が所定電圧以下となるローバッテリー状態にあったとした場合、所定時間間隔Ｔ３ごとの自動試験で毎回、ローバッテリー障害が判定され、ローバッテリー障害の判定が連続してＮ回例えばＮ＝５回続いたときにローバッテリー障害を確定して警報し、図６（Ｂ）に示すメモリ４６の試験結果記憶領域５５における試験結果を、それまでの正常からローバッテリー障害に書き換える。
【００９２】
一方、自動試験によりローバッテリー障害が試験結果として得られるまでの間に、図６（Ｃ）に示すように、操作部３８に設けている警報停止兼用試験スイッチ２０を操作したとすると、この試験操作が検出されて、図３のバッテリー試験処理部６４に設けたリアルタイム試験部６８−２がリアルタイム試験を実行する。
【００９３】
リアルタイム試験は、試験操作検出時に電池電源４０の電源電圧をＡＤ変換により読み込み、所定の閾値電圧と比較し、閾値電圧を下回っていればローバッテリー障害と判定し、報知部３６のスピーカ５６の音及びＬＥＤ２２の表示により、ローバッテリー障害を警報する。
【００９４】
このため電池電源４０の障害についても、自動試験によるタイムラグとなる例えば２０時間に達する前に試験操作を行うと、試験操作を行ったときのリアルタイム試験により、そのときの電池電圧の状態が判定され、閾値電圧を下回っていればローバッテリー障害を警報することができる。
【００９５】
図７は図３の実施形態による基本処理を示したフローチャートである。図７において、住警器の処理は、内蔵電池による電源供給を有効化した電源投入時に、まずステップＳ１で初期化および自己診断の処理を実行する。
【００９６】
この処理には、図２に示すように、住宅２４及びガレージ２６に設置している５台の住警器１０−１〜１０−５をグループ化する処理、例えば図３の住警器１０−１〜１０−５の住警器１０−１に代表して示す記録回路部３２のメモリ４６に同一のグループ符号５２を登録する処理などを行う。続いてステップＳ２で火災監視処理を実行し、続いてステップＳ３のセンサ試験処理を実行し、更にステップＳ３のバッテリー試験処理を実行し、これを繰り返すことになる。
【００９７】
図８は図３の実施形態による火災監視処理の一例を示したフローチャートであり、図３のＣＰＵ２８のプログラムの実行による処理となる。
【００９８】
図８において、ステップＳ１１で火災発報を監視しており、センサ部３４に設けた検煙部１６から火災検出信号が出力されると火災発報を判別してステップＳ１２に進み、火災発報を示すイベント信号を他の住警器に無線により送信する。続いてステップＳ１３で連動元を示す警報を出力する。
【００９９】
続いて、ステップＳ１４でセンサ部３４に設けた検煙部１６から火災検出信号が出力されなくなる火災復旧の有無を判別しており、火災発報が継続している場合はステップＳ９５で警報停止兼用試験スイッチによる警報停止操作の有無を判別し、警報停止操作が無ければステップＳ１６で他の住警器からの警報停止のイベント信号の受信の有無を判別する処理を繰り返している。なお、火災発報の継続中にあっては、所定時間毎に火災発報を示すイベント信号の送信を繰り返している。
【０１００】
ステップＳ１４〜Ｓ１６の処理サイクル中に、センサ部３４に設けた検煙部１６から火災検出信号が出力されなくなるとステップＳ１４で火災復旧が判別され、ステップＳ１７で火災復旧のイベント信号を他の住警器に送信した後、ステップＳ９９に進んで連動元警報を停止し、この場合は通常の監視状態に戻る。
【０１０１】
またステップＳ１６で他の住警器から警報停止イベント信号の受信を判別すると、ステップＳ１９に進んで連動元警報を停止する。更に、ステップＳ１５で自己の警報停止操作を判別した場合はステップＳ１８に進んで他の住警器に警報停止イベント信号を送信した後、ステップＳ１９で連動元警報を停止する。
【０１０２】
なお、ステップＳ１５で自己の警報停止操作を判別した場合、またはステップＳ１６で他の住警器からの警報停止イベント信号を受信した場合について、ステップＳ１９の連動元警報の停止をスキップし、警報停止操作に対し連動元を示す警報のみは残すようにしても良い。
【０１０３】
一方、ステップＳ１１で火災発報でなかった場合には、ステップＳ２０で火災発報を示すイベント信号の他の住警器からの受信の有無を判別している。他の住警器から火災発報を示すイベント信号の受信を判別すると、ステップＳ２１に進み、連動先を示す警報を出力する。
【０１０４】
続いてステップＳ２２で他の住警器からの火災復旧を示すイベント信号の受信の有無を判別しており、火災復旧を示すイベント信号を受信するとステップＳ２６に進んで連動先警報を停止し、この場合は通常の監視状態に戻る。
【０１０５】
続いてステップＳ２３で他の住警器からの警報停止を示すイベント信号の受信の有無をチェックしており、警報停止を示すイベント信号の受信を判別すると、ステップＳ２６で連動先を示す警報を停止する。
【０１０６】
続いてステップＳ２４で警報停止兼用試験スイッチによる警報停止操作の有無を判別しており、警報停止操作を判別するとステップＳ２５で警報停止のイベント信号を他の住警器に送信した後、ステップＳ２６で連動先を示す警報を停止する。
【０１０７】
図９は図７のステップＳ３におけるセンサ試験処理の詳細を示したフローチャートである。図９において、センサ試験処理は、ステップＳ３１で所定の測定間隔Ｔ１例えばＴ１＝１秒に達するか否か判定しており、測定間隔Ｔ１に到達すると、ステップＳ３２に進み、センサ部３４からの煙濃度検出信号をＡＤ変換したセンサデータを読み込んで、メモリ４６のバッファ上に保持する。
【０１０８】
続いてステップＳ３３で所定の試験間隔Ｔ２、例えばＴ２＝１０分に到達したか否かを判定しており、試験間隔Ｔ２に到達したことを判別すると、ステップＳ３４に進み、試験間隔Ｔ２の間に保持したセンサデータの平均値を計算し、ステップＳ３５で平均値と所定の零点レベルとを比較し、零点レベルを下回っていれば零点異常を判別し、ステップＳ３６で自動試験結果としてセンサ障害を試験結果記憶領域５５に記憶した後、ステップＳ３７で報知部３６のスピーカ５６の音及びＬＥＤ２２の表示によりセンサ障害を警報する。
【０１０９】
このステップＳ３１〜Ｓ３７の処理が、図３のセンサ処理部６２に設けた自動試験部６６−１の処理となる。
【０１１０】
一方、ステップＳ３１で測定間隔Ｔ１に到達していない場合、またはステップＳ３３で試験間隔Ｔ２に到達していない場合、更にはステップＳ３５でセンサデータの平均値から零点異常が判別されなかった場合には、ステップＳ３８に進み、試験スイッチの操作の有無を判定している。
【０１１１】
ステップＳ３８で試験スイッチ即ち図３の操作部３８に設けた警報停止兼用試験スイッチ２０の操作を判別すると、ステップＳ３９に進み、センサのリアルタイム試験を実行する。リアルタイム試験は、センサ部３４から出力されている煙濃度検出信号のＡＤ変換した検出データを所定の零点レベルと比較し、零点レベルを下回っていれば零点異常によるセンサ障害と判定し、ステップＳ３７に進み、報知部３６のスピーカ５６の音をＬＥＤ２２の表示によりセンサ障害を警報する。
【０１１２】
このため、ステップＳ３８〜Ｓ４０及びステップＳ３７の処理が、図３のセンサ試験処理部６２に設けたリアルタイム試験部６８−１による処理となる。
【０１１３】
図１０は図７のステップＳ４におけるバッテリー試験処理の詳細を示したフローチャートである。図１０において、バッテリー試験処理は、ステップＳ４１で所定の試験間隔Ｔ３例えばＴ３＝４時間に達したか否かを判別しており、試験間隔Ｔ３に到達すると、ステップＳ４２に進み、電池電源４０からの電源電圧いわゆるバッテリー電圧をＡＤ変換により読み込み、ステップＳ４３で所定の閾値電圧以下か否か判定し、閾値電圧以下であれば、ステップＳ４４に進み、ローバッテリー障害を判定結果としてメモリ４６のバッファ領域に保持する。
【０１１４】
続いてステップＳ４５でローバッテリー障害の判定が予め定めた回数であるＮ回連続したか否か判定し、Ｎ回の連続判定を判別すると、ステップＳ４６に進み、自動試験結果となるメモリ４６の試験結果記憶領域５５にローバッテリー障害を記憶した後、ステップＳ４７で報知部３６のスピーカ５６の音及びＬＥＤ２２の表示によりローバッテリー障害を警報する。
【０１１５】
このためステップＳ４１〜Ｓ４７の処理が、図３のバッテリー試験処理部６４に設けた自動試験部６６−２による処理となる。
【０１１６】
一方、ステップＳ４１で試験間隔Ｔ３に到達していない場合、ステップＳ４３でバッテリー電圧が所定の閾値電圧を上回っている場合、あるいはステップＳ４３でローバッテリー障害の判定回数がＮ回に達していない場合には、ステップＳ４８に進み、試験用スイッチの操作の有無を判別する。
【０１１７】
試験用スイッチの操作を判別するとステップＳ４９に進み、バッテリーリアルタイム試験を実行する。バッテリーリアルタイム試験は、電池電源４０の電池電圧をローバッテリー電圧としてＡＤ変換により読み込んで所定の閾値電圧と比較し、所定の閾値電圧以下であればローバッテリーと判定し、ステップＳ４７に進み、報知部３６のスピーカ５６の音及びＬＥＤ２２の表示によりローバッテリー障害を警報する。このためステップＳ４８〜Ｓ５０及びＳ４７の処理が、図３のバッテリー試験処理部６４に設けたリアルタイム試験部６８−２の処理となる。
【０１１８】
図１１は図３のメモリ４６の試験結果記憶領域５５に記憶される試験結果判定リスト７０を示した説明図である。本発明の他の実施形態にあっては、リアルタイム試験の際に、図１１に示す試験結果判定リスト７０に記憶されている自動試験結果とリアルタイム試験結果の組合せに基づいて試験結果の報知を行うようにしたことを特徴とする。
【０１１９】
この試験結果リスト７０に基づく試験結果の報知は、次の４つのパターンとなる。
【０１２０】
・  自動試験及びリアルタイム試験の結果が共に正常の場合は正常を報知する。
【０１２１】
・  自動試験の結果が障害でリアルタイム試験の結果が正常の場合は正常を報知する。
【０１２２】
・  自動試験の結果が正常でリアルタイム試験の結果が障害の場合は障害を報知する。
【０１２３】
・  自動試験及びリアルタイム試験の結果が共に障害の場合は障害を報知する。
【０１２４】
更に前記（２）の自動試験結果が障害でリアルタイム試験結果が正常の場合は正常を報知することになるが、この場合には２つの異なる試験結果が相違していることから、更に信頼度を高めるために、再度、試験操作を行う旨の再テストのガイダンスを報知部３６のスピーカ５６から音声メッセージとして出力し、少なくとも２回、リアルタイム試験を行い、その結果、正常か異常かを最終的に報知するようにしている。
【０１２５】
図１２は図１１の試験結果判定リストを用いるセンサ試験処理の他の実施形態を示したフローチャートである。図１２の試験処理にあっては、ステップＳ５１〜Ｓ５７はセンサの自動試験であり、これは図９のステップＳ３１〜Ｓ３７の処理と同じである。
【０１２６】
これに対しステップＳ５８〜Ｓ６２はセンサのリアルタイム試験であり、ステップＳ５８で試験スイッチの操作を判別すると、ステップＳ５９でセンサリアルタイム試験を行い、ステップＳ６０で零点異常を判別すると、ステップＳ６１で試験結果記憶領域５５のリアルタイム試験結果にセンサ障害を記憶する。
【０１２７】
そしてステップＳ６２で図１１の試験結果リストに示す自動試験結果とリアルタイム試験結果の組合せから報知内容を決定して、報知部３６のスピーカ５６の音とＬＥＤ２２とにより、必要な報知出力を行う。
【０１２８】
図１３は図１１の試験結果判定リストを用いるバッテリー試験処理の他の実施形態を示したフローチャートである。図１３において、ステップＳ７１〜Ｓ７７はバッテリー自動試験であり、これは図１０のステップＳ４１〜Ｓ４７と同じである。
【０１２９】
一方、ステップＳ７８〜Ｓ８２はバッテリーのリアルタイム試験であり、ステップＳ７８で試験スイッチの操作を判別すると、ステップＳ７９でバッテリーのリアルタイム試験を実行し、ステップＳ８０で所定電圧以下であればローバッテリー障害を判定し、ステップＳ８１で試験結果としてのローバッテリー障害を試験結果記憶領域５５に記憶した後、ステップＳ８２で、そのときの自動試験とリアルタイム試験の結果に基づき、図１１の試験結果判定テーブルから報知内容を決定し、報知部３６のスピーカ５６の音とＬＥＤ２２の表示により必要な報知を行う。
【０１３０】
図１４は図３のバッテリー試験処理部６４による他の実施形態を示したフローチャートであり、この実施形態にあっては、試験間隔Ｔ３ごとに行っている自動試験の試験結果が得られてから所定時間を経過するまでの間の試験スイッチの操作については、リアルタイム試験を行わずに自動試験の試験結果を報知するようにしたことを特徴とする。
【０１３１】
図１４において、バッテリー試験処理の内、ステップＳ９１〜Ｓ９７は自動試験であり、これは図１０のステップＳ４１〜Ｓ４７に示したと同じ処理である。これに対しステップＳ９８〜Ｓ１０１及びステップＳ９７がバッテリーのリアルタイム試験である。
【０１３２】
リアルタイム試験は、ステップＳ９８で試験スイッチの操作を判別すると、ステップＳ９９で前回の自動試験から所定時間以内かどうか判別する。例えば試験間隔Ｔ３が４時間であった場合には、自動試験の結果から１時間以内か否か判別する。
【０１３３】
１時間以内であればステップＳ１００のローバッテリーリアルタイム試験をスキップし、ステップＳ１０２で、そのとき試験結果記憶領域５５に記憶されている自動試験の試験結果に応じた報知を行う。
【０１３４】
一方、ステップＳ９９で所定時間例えば１時間を超えていた場合には、ステップＳ１００に進み、バッテリーのリアルタイム試験を実行し、ステップＳ１０１でバッテリー電圧が所定の閾値電圧以下であれば、ステップＳ９７に進み、リアルタイム試験結果に基づきローバッテリー障害を警報する。
【０１３５】
図１５は本発明によるスタンドアローン型の住警器の実施形態を示したブロック図である。図１５において、スタンドアローン型の住警器１０は、図３に示した無線式の住警器の無線回路部３０が除かれ、その代わりに移報回路部７２が設けられ、移報回路部７２には移報送信回路７４と移報受信回路７６が設けられ、移報端子７８により他の住警器との間で信号線接続ができるようにしている。もちろんスタンドアローン型の住警器としては、移報回路部７２を持たない単独仕様のものであってもよい。
【０１３６】
それ以外の住警器１０に設けられたＣＰＵ２８、記録回路部３２、センサ部３４、報知部３６、操作部３８及び電池電源４０の構成は、基本的に図３の無線式の住警器と同じであり、更にＣＰＵ２８には、プログラムの実行により実現される機能として、異常監視部６０、センサ試験処理部６２、バッテリー試験処理部６４が設けられている。
【０１３７】
異常監視部６０は、図８の無線式の火災監視処理における火災発報イベント信号の送受信と、連動先警報に関する処理を除いたスタンドアローン型としての処理となる。またセンサ処理部６２及びバッテリー試験処理部６４に設けている自動試験部６６−１，６６−２とリアルタイム試験部６８−１，６８−２の処理は、図９及び図１０のフローチャートの通りであり、また他の実施例としての図１１の試験結果判定リストを用いた図１２及び図１３の処理や、バッテリー試験処理については、更に図１４の処理を適用することができる。
【０１３８】
なお、上記の実施形態に示した住警器は、火災時に発生する煙を観測して火災を検出する煙式の火災住警器であるが、熱を観測する熱式のものや炎からの赤外線や紫外線を観測するもの等であっても良い。
【０１３９】
また上記の実施形態にあっては、住警器の障害としてセンサ障害とローバッテリー障害を例に取るものであったが、それ以外の適宜の障害についても、同様に適用することができる。
【０１４０】
また上記の実施形態は異常として火災を検出する住警器を例に取るものであったが、これ以外にガス漏れ警報器や防犯用警報器など、それ以外の異常を検出する警報器にそのまま適用することができる。また住宅用に限らずビルやオフィス用など各種用途の警報器にも適用できる。
【０１４１】
また、上記の実施形態は警報器にセンサ部と警報出力処理部を一体に設けた場合を例にとるが、他の実施形態として、センサ部と警報出力処理部を別体とした警報器であっても良い。
【０１４２】
また上記の実施形態は無線式の住警器における障害警報を例に取るものであったが、有線式の住警器の障害警報についても、同様に適用することができる。
【０１４３】
また本発明はその目的と利点を損なうことのない適宜の変形を含み、更に上記の実施形態に示した数値による限定は受けない。
【符号の説明】
【０１４４】
１０，１０−１〜１０−５：住警器
１２：カバー
１４：本体
１５：取付フック
１６：検煙部
１８：音響孔
２０：警報停止兼用試験スイッチ
２２：ＬＥＤ
２４：住宅
２６：ガレージ
２８：ＣＰＵ
３１：アンテナ
３０：無線回路部
３２：記録回路部
３４：センサ部
３６：報知部
３８：操作部
４０：電池電源
４２：送信回路
４４：受信回路
４６：メモリ
４８：イベント信号
５０：送信元符号
５２：グループ符号
５４：イベント符号
５５：試験結果記憶領域
５８：スピーカ
６０：異常監視部
６２：センサ試験処理視部
６４：バッテリー試験処理部
６６−１，６６−２：自動試験部
６８−１，６８−２：リアルタイム試験部
７０：試験結果判定リスト
７２：移報回路部
７４：移報送信回路
７６：移報受信回路
７８：移報端子
【図１】
2010257279.tif 000003
【図２】
2010257279.tif 000004
【図３】
2010257279.tif 000005
【図４】
2010257279.tif 000006
【図５】
2010257279.tif 000007
【図６】
2010257279.tif 000008
【図７】
2010257279.tif 000009
【図８】
2010257279.tif 000010
【図９】
2010257279.tif 000011
【図１０】
2010257279.tif 000012
【図１１】
2010257279.tif 000013
【図１２】
2010257279.tif 000014
【図１３】
2010257279.tif 000015
【図１４】
2010257279.tif 000016
【図１５】
2010257279.tif 000017
【図１６】
2010257279.tif 000018
【図１７】
2010257279.tif 000019